(57)【特許請求の範囲】
【請求項１】
装置のフレーム体である装置フレームと、ディスクを支持し回転させ得るターンテーブルと装置前部に位置するディスク入出用のディスク入出開口部とを搭載するトラバースベースと、前記トラバースベースを前記装置フレームに対し浮動可能に支持するフローティング支持機構とを備え、
ディスクが前記ターンテーブル上に装着されたときには前記トラバースベースはフローティング支持状態に維持され、ディスクのローディング動作時およびイジェクト動作時には前記トラバースベースはフローティング範囲における所定の下方位置にロックされるディスク装置において、
端部に設けられたストッパ部と前記トラバースベースに当接する取付基部とを有したディスク挿入規制部材と、前記ディスク挿入規制部材を前記装置フレームに回動自在に取り付ける取付軸と、前記ディスク装置の前面に設けられ前記ディスク挿入規制部材を上方へ回動する方向に付勢する付勢バネとを備え、
前記ディスク挿入規制部材は、前記取付軸を支点としてディスク入出方向と略直交する方向へ変位可能であり、ディスクの前記ターンテーブル上への装着時に前記付勢バネの付勢力により定まる前記ディスク入出開口部の前側位置である第１位置と、ディスクのローディング動作時およびイジェクト動作時に前記トラバースベースが下方へ移動して前記基部を押下して前記付勢バネの付勢力に抗して前記ディスク挿入規制部材を下方に回動して定まる前記ディスク入出開口部の前側から退避した第２位置との間で変位する、ことを特徴とするディスク装置。
【請求項２】
前記ディスク挿入規制部材の取付基部は、前記取付軸を嵌合する取付穴と、前記装置フレームの下面に当接可能に設けられた張り出し部と、前記トラバースベースの下面に当接可能に設けられた立ち上がり部とを有し、前記トラバースベースの下面が前記立ち上がり部を押し下げ前記ディスク挿入規制部材が取付軸を中心にして下方に向かって回動し前記ストッパ部が同方向に回動し前記第２位置に位置することを特徴とする請求項１記載のディスク装置。
【請求項３】
前記ストッパ部が、前記第１位置では、前記ディスク入出開口部の略中央の前側に位置することを特徴とする請求項１または請求項２に記載のディスク装置。
【請求項４】
前記ストッパ部の側縁部には、前記ストッパ部が前記第１位置にあるときに挿入されて来たディスクの外縁部を係止する係止部と、前記ディスクの外縁部を前記係止部に向かって案内する案内傾斜部とが設けられていることを特徴とする請求項１ないし請求項３の何れかに記載のディスク装置。
【請求項５】
前記ディスク挿入規制部材の取付軸は、前記装置フレームに対して着脱可能に取り付けられていることを特徴とする請求項１ないし請求項４の何れかに記載のディスク装置。
【請求項６】
前記取付軸は装置フレームに設けられた穴部に嵌合する軸先端部を有し、前記取付軸に付勢バネが取り付けられ、前記取付基部に設けられた取付穴に前記取付軸が嵌合され、前記取付軸を中心にして前記ディスク挿入規制部材が回動自在に支持されたことを特徴とする請求項１ないし請求項５の何れかに記載のディスク装置。
【発明の詳細な説明】
【０００１】
【発明の属する技術分野】
この発明は、例えば、所謂ＣＤ（コンパクト・ディスク）或いはＤＶＤ（デジタル・ビデオ・ディスク若しくはデジタル・バーサタイル・ディスク）など、情報記録媒体としてのディスクに記録された情報を再生し、及び／又はかかるディスクに情報を記録するためのディスク装置に関する。
【０００２】
【従来の技術】
上記のような情報記録媒体ディスク用のディスク装置として、装置前部に設けた溝状のディスク入出用の開口部からディスクの挿入／排出を行うようにした、所謂スロットイン・タイプのものは一般に良く知られており（例えば、特開２０００−２９８９０３号公報参照）、特に、コンパクト性が求められる車載用のディスク装置として多用されている。
【０００３】
かかるタイプのディスク装置では、ディスクを支持し回転させるターンテーブルやディスクに対する情報信号の書き込み及び（記録）／又は読み出し（再生）のためのピックアップ、ディスクをその入出用開口部とターンテーブル上との間で移送する移送機構、並びにそれらの駆動機構などの主要な駆動部品を一つのベース部材（所謂、トラバースベース）に搭載し、このトラバースベースを装置のフレーム体（装置フレーム）に支持させるように構成するのが一般的である。
【０００４】
このようにトラバースベースを装置フレームに支持させる場合、装置フレームからトラバースベースへ入力される振動を吸収するために、例えばゴム及び／又はスプリング等の弾性を有する部材を介して支持させることにより、トラバースベースを装置フレームに対し、少なくとも１方向について（通常は、少なくともターンテーブル上のディスクと直交する方向について）一定の範囲内で浮動可能な状態（フローティング状態）で支持させることが知られている。
【０００５】
つまり、通常の横置き型のものにあっては、少なくとも上下方向について（より好ましくは、前後および左右の水平方向についても）一定の範囲内でフローティング支持される。例えば、実公平７−１６１２３号公報には、かかるフローティング支持に用いることができる液体封入ダンパーが開示されている。
【０００６】
このように、少なくとも１方向について（通常は少なくとも上下方向について、より好ましくは水平方向についても）トラバースベースを装置フレームに対してフローティング支持することにより、装置フレームから入力される振動を吸収して、ターンテーブル上のディスク及びトラバースベース上の駆動部品類を有効に保護することができ、また、音楽ディスク等の再生中にあっては、音飛びなどの不具合の発生を防止することができる。
特に、車載用のディスク装置の場合には、車両走行中に車体に加わる振動が、車体に対して固定された装置フレームからトラバースベースに入力されることになるので、その入力振動を有効に吸収するために、トラバースベースのフローティング支持機構は不可欠である。
【０００７】
かかるフローティング支持機構を設けたディスク装置では、ディスクがターンテーブル上に装着された状態（例えば、ディスク再生時）では、トラバースベースはフローティング支持状態に維持される。
一方、ディスクをその入出開口部から装置内に挿入してターンテーブル上にセットするローディング動作、又はターンテーブル上のディスクを入出開口部から排出させるイジェクト動作が行われる際には、トラバースベースを一定位置で静止状態に保つことが求められる。
【０００８】
そこで、トラバースベースをフローティング支持機構によるフローティング範囲の所定位置にロックするフローティング・ロック機構を設け、ディスクのローディング動作時およびイジェクト動作時には、このフローティング・ロック機構を働かせてトラバースベースをロック位置に保つようにすることが知られている。例えば、通常の横置き型のものにあっては、ディスクのローディング動作時およびイジェクト動作時には、フローティング・ロック機構が作動することにより、トラバースベースはフローティング範囲における所定の下方位置にロックされる。また、ディスクを移送する移送手段が移送作動可能な位置に位置させられる。
【０００９】
【発明が解決しようとする課題】
ところで、上記のように溝状のディスク入出用の開口部からディスクの挿入／排出を行うスロット・イン式のディスク装置では、例えばディスク再生時などディスクがターンテーブル上に装着されているにも拘わらず、例えばこれに気付かないで、ディスク入出開口部から他のディスクの挿入動作が行われる場合があり得る。
【００１０】
このように、ディスクがターンテーブル上に装着された状態で、他のディスクの挿入動作が更に行われると、ディスク損傷等の不具合が生じることになる。特に、ディスク再生中などディスクが回転している場合には、ディスクは非常に大きな損傷を受けることになる。とりわけ、回転速度が特に高いＤＶＤ等の場合、ダメージは重大である。
【００１１】
かかる問題に対して、ターンテーブル上にディスクが装着されていることを検知する検知センサと、この検知センサの検知信号によって駆動される例えばプランジャ型等のアクチュエータと、該アクチュエータに連結されディスク入出開口部の前側に進退動するストッパ部材とを備えたディスク挿入阻止機構を設けることが考えられる。このような機構を設けることにより、ターンテーブル上へのディスク装着状態が検知された場合には、上記アクチュエータが駆動され、ストッパ部材を前進動させてディスク入出開口部の前側に位置するので、他のディスクの挿入が阻止される。
【００１２】
しかしながら、このような構成を採用した場合には、以下のような問題が生じる。すなわち、
（１）ディスク挿入阻止機構に専用の上記検知センサやアクチュエータを新たに設け、しかも、両者間を信号授受可能に接続する必要があるので、製造コストが高くなり、また、構造も複雑化する。
【００１３】
（２）しかも、これら検知センサやアクチュエータ並びに両者間の電気配線等は、一旦、装備されると簡単に取付／取り外しができないので、特に必要とされない場合でも、取り外すことができず、従って、不要な過剰装備が取り付けられたままで出荷され、使用に供されることになる。実際、例えば主としてナビゲーション用に使用されるディスク装置などの場合には、ディスク再生中に他のディスクが更に挿入されることは殆ど想定できないのであるが、このような場合でも、上記のディスク挿入阻止機構が取り付けられたままで使用されることになる。
【００１４】
（３）上記のアクチュエータ及びストッパ部材は、ディスク装置内でのレイアウト及び取付の容易性の観点から、通常、ディスク入出開口部の端部近傍に配設される。この場合、ターンテーブル上に装着され使用状態にあるディスクと後から挿入される他のディスクとの干渉を確実に防止するためには、上記ストッパ部材を使用状態にあるディスクの外周部から十分に離れた箇所に位置させなければならない。そして、そのためには、ディスク入出開口部をターンテーブル中心からかなり前側に張り出した位置に設ける必要があり、ディスク装置が大型化するという難点がある。特に、車載用のディスク装置の場合には、取付スペースが限られる関係上、ディスク装置の大型化はそのレイアウト上、大きな支障となる。
【００１５】
この発明は、上記諸問題に鑑みてなされたもので、スロットイン・タイプのディスク装置において、低コスト且つ省スペースで、ディスク装着状態における他のディスクの挿入動作を阻止することができ、しかも、不要な場合には、かかる挿入阻止機構を容易に取り外すことができるようにすることを目的とする。
【００１６】
【課題を解決するための手段】
本発明のディスク装置は、装置前部に位置するディスク入出用のディスク入出開口部と、ディスクを支持し回転させ得るターンテーブルと、上記ディスク入出開口部とターンテーブル上との間でディスクを移送する移送手段と、該移送手段と上記ディスク入出開口部とターンテーブルとを含む所定の構成要素を搭載したトラバースベースと、該トラバースベースを装置フレームに対し少なくとも１方向についてフローティング支持するフローティング支持機構と、上記トラバースベースを上記フローティング支持機構によるフローティング範囲内における所定のロック位置にロックするフローティング・ロック機構と、を備えている。そして、上記ディスクをその入出開口部から装置内に挿入してターンテーブル上にセットするローディング動作時、又はターンテーブル上のディスクを入出開口部から排出させるイジェクト動作時には、上記フローティング・ロック機構が作動し、上記トラバースベースが上記フローティング範囲内における所定のロック位置にロックされるようにしたディスク装置を前提とし、上記装置フレームへの取付部を支点としてディスク入出方向と略直交する方向へ変位可能な変位部を有するディスク挿入規制部材が設けられ、該ディスク挿入規制部材の上記変位部は、上記フローティング・ロック機構の作動状態に応じて、上記ディスク入出開口部の前側に位置する第１位置と、該ディスク入出開口部の前側から退避した第２位置との間で変位する、ことを特徴としたものである。
【００１７】
この場合、上記ディスク挿入規制部材を、フローティング・ロック機構非作動時には上記変位部が第１位置にあり、フローティング・ロック機構作動時には変位部が第２位置に退避するように設定することにより、フローティング・ロック機構を作動させてディスクのローディング動作又はイジェクト動作を行う際には、ディスク入出開口部から支障無くディスクを挿入／排出可能となる。一方、フローティング・ロック機構が非作動でトラバースベースがフローティング支持されている状態では、上記ディスク入出開口部から他のディスクが挿入されることが確実に防止される。
【００１８】
また、本発明のディスク装置は、上記ディスク挿入規制部材の変位部は、上記第１位置では、上記ディスク入出開口部の略中央の前側に位置することを特徴としたものである。
この場合、かかるディスク挿入規制用のストッパ部材をディスク入出開口部の端部近傍に設けた従来のように、ディスク装置が前方に張り出して大型化することはない。
【００１９】
更に、本発明のディスク装置は、上記変位部の側縁部には、該変位部が上記第１位置にあるときに挿入されて来たディスクの外縁部を係止し得る係止部と、上記ディスクの外縁部を上記係止部に向かって案内する案内傾斜部とが設けられていることを特徴としたものである。
この場合、ディスク挿入規制部材の変位部が第１位置にある状態で、他のディスク（特に、小径のディスク）がディスク入出開口部の中央に対して偏った方向から挿入されて来た場合でも、当該他のディスクの外縁部は、上記変位部の側縁部に設けられた案内傾斜部により係止部に案内されて係止され、それ以上の挿入動作が阻止される。
【００２０】
また、更に、本発明のディスク装置は、上記ディスク挿入規制部材の変位部を上記第１位置側に付勢する付勢手段が設けられ、上記フローティング・ロック機構が上記トラバースベースをロックするロック動作に応じて、上記変位部が、上記付勢手段の付勢力に抗して、上記第１位置から上記第２位置に変位することを特徴としたものである。
この場合、付勢手段を設けるだけの比較的簡単な構成で、フローティング・ロック機構非作動時には上記ディスク挿入規制部材の変位部が上記第１位置に維持され、また、上記フローティング・ロック機構のロック動作により、上記変位部が上記第１位置から第２位置に変位する。
【００２１】
また、更に、本発明は、上記フローティング支持機構は、上記トラバースベースを装置フレームに対し少なくともディスク入出方向と略直交する方向についてフローティング支持するもので、トラバースベースを少なくとも上記方向に付勢する複数のフローティングバネを有しており、上記ディスク挿入規制部材および上記付勢手段を装置フレームに取り付けた状態では、その取付部に最も近い箇所に位置すべきフローティングバネが取り外されていることを特徴としたものである。
この場合、上記ディスク挿入規制部材の変位部を第１位置側に付勢する付勢手段を最適に設定して装置フレームに取り付けることにより、フローティングバネがトラバースベースをディスク入出方向と略直交する方向に付勢する作用も併せて行われ、複数のフローティングバネのうち上記付勢手段の取付部に最も近い箇所に位置すべきバネが取り外され、上記付勢手段で兼用される。
【００２２】
また、更に、本発明は、上記ディスク挿入規制部材の取付部は、上記装置フレームに対して着脱可能に取り付けられていることを特徴としたものである。
この場合、上記ディスク挿入規制部材は、不要な場合には比較的簡単に装置ベースから取り外し可能である。
【００２３】
【発明の実施の形態】
以下、本発明の実施の形態を、例えば車載用とされた横置き型のディスク装置の場合を例に取って、添付図面を参照しながら詳細に説明する。
図１は本発明の実施の形態に係るディスク装置の組立状態を示す全体斜視図、図２は該ディスク装置の分解斜視図、また、図３及び図４はディスク装置の平面説明図および底面説明図である。
これらの図に示すように、上記ディスク装置１は、大略矩形フレーム状に形成された装置フレーム１０と、大略矩形平板状に形成されたトラバースベース２０と、大略三角形平板状のクランパアーム３１及び大略矩形フレーム状のクランパ板３２を有するクランパ機構３０とを備えている。
【００２４】
上記ディスク装置１は、例えばＣＤ或いはＤＶＤ等の情報記録媒体としてのディスク５０に記録された情報を再生し、及び／又は、かかるディスクに情報を記録するためのものであり、ディスク５０を外部から装置１内に挿入する（引き込む）際には、図１，３及び４に示す矢印の方向にディスク５０が移動する。
本実施の形態では、ディスク５０を装置１に対して入出（挿入／排出）させる際の入出用のディスク入出開口部２１が設けられた側をディスク装置１の前側と称し、また、ディスク５０の挿入方向（図１及び図３における矢印方向）に向かって左側および右側をディスク装置１の左側および右側というものとする。
【００２５】
上記トラバースベース２０は、装置１の駆動機構の大部分が搭載されるベース部材であり、装置フレーム１０の内側開口部１０Ｈ内に組み付けられる。図２に示されるように、装置フレーム１０と上記トラバースベース２０との間には、振動吸収のために、フローティングダンパ８とコイルスプリング９とを組み合わせて成る複数の（３つの）フローティング機構７がそれぞれ介装されている。これらフローティング機構７は、装置ベース１０の内側開口部１０Ｈ内に設けられた３箇所のフローティング受け部１１上に配置される。これら複数のフローティング機構７により、本願請求項に記載した「フローティング支持機構」が構成されている。
尚、かかるフローティング機構７は公知のものであり、上記フローティングダンパ８としては、例えば、前述の実公平７−１６１２３号公報に開示された液体封入ダンパーなどを好適に用いることができる。
【００２６】
上記のような構成を採用することにより、少なくとも１方向について（少なくとも上下方向について、つまり、後述するターンテーブル４１と直交する方向について）、より好ましくは、前後および左右の水平方向についても、トラバースベース２０を装置フレーム１０に対し、一定の範囲内で浮動可能な状態（フローティング状態）で支持させることができる。これにより、装置フレーム１０からトラバースベース２０へ入力される振動を有効に吸収することができる。
本実施の形態では、トラバースベース２０は装置フレーム１０に対し、例えば、上下方向について±２．５ｍｍ、前後および左右方向についても各々±２．５ｍｍの範囲でフローティング支持されるように設定されている。
【００２７】
かかるフローティング機構７を備えたディスク装置１では、ディスク５０がターンテーブル４１上に装着された状態（例えば、ディスク再生時など）では、トラバースベース２０はフローティング支持状態に維持される。
特に、車載用のディスク装置１の場合には、車両走行中に車体に加わる振動が、車体に固定された装置フレーム１０からトラバースベース２０にそのまま入力されることを防止して、内部部品やディスク５０を保護するために、上記のようなフローティング機構７は不可欠である。
【００２８】
上記トラバースベース２０の略中心部分には、ディスク５０を支持し回転させ得るターンテーブル４１とその駆動用のモータ４２（第１モータ：図４参照）が配置されている。
また、トラバースベース２０には、ディスク５０に記録された情報を再生し、及び／又は、かかるディスク５０に情報を記録するためのピックアップ４３（図３参照）が、上記ターンテーブル４１のラジアル方向に沿って形成された溝部４４内に配置され、該溝部４４に沿って移動可能に保持されている。
【００２９】
一方、上記トラバースベース２０の前部には、装置１に対してディスク５０を入出（挿入／排出）させる際の入出用のディスク入出開口部として、溝状のディスクスロット２１が形成されている。
また、該ディスクスロット２１よりも若干後方に、ディスクスロット２１と上記ターンテーブル２３との間でディスク５０を移送する移送手段としてのローラ２２（図３及び図４参照）が配設されている。このローラ２２は、例えばゴム又は軟質樹脂等の弾性を有する材料で形成され、その上方に配設された平板状のディスクガイド２３との間にディスクを挟み込んだ状態で回転することにより、ディスク５０を移送するものである。
【００３０】
上記トラバースベース２０の後端突起部２０ｓにはクランパアーム３１の後端穴部３１ｈが嵌合され、該クランパアーム３１は、その後端部を中心にして上下回動可能にトラバースベース２０に取り付けられている。クランパアーム３１の前端部分には、クランパ保持板３４を介してクランパ３３が設けられている。該クランパ３３は、ターンテーブル４１上のディスク５０をターンテーブル４１に圧着させるためのものである。
【００３１】
クランパアーム３１の枢支部には、常時クランパアーム３１を下方に付勢するスプリング（不図示）が組み込まれており、このスプリングの付勢力により、クランパアーム３１及びクランパ保持板３４を介して、クランパ３３がターンテーブル４１側に（つまり、下側に）付勢されている。
【００３２】
上記クランパアーム３１，クランパ３３及びクランパ保持板３４の上方には、クランパ３３の上方への移動量を規制するクランパ板３２が配設されている。該クランパ板３２は、その後端部が装置フレーム１０の後端縦壁に係合されて固定されている。また、トラバースベース２０の裏面側には、ディスク装置１を駆動制御するために、多数の制御回路が搭載された平板状の制御基板２（図４参照）が取り付けられている。
尚、以上のような構成は、例えば前述の特開２０００−２９８９０３号公報にも開示されているように、従来公知のものである。
【００３３】
上記ディスク装置１は、正逆回転動作が可能な駆動モータ５１（第２モータ）と、該第２モータ５１の出力を伝達するモータ歯車列５２とを備えている。
また、ディスク装置１には、上記と同様に従来公知の構成であるので具体的には図示しなかったが、ディスク５０を移送するために上記ローラ２２を回転駆動させるためのディスク歯車列と、ピックアップ４３をディスク５０のラジアル方向に移動させるためのピックアップ歯車列とを備えている。更に、モータ歯車列を介して伝えられる第２モータ５１の出力の伝達経路を、上記ディスク歯車列とピックアップ歯車列との間で切り換える駆動切換機構を備えている。
【００３４】
そして、第２モータ５１が正転時には、上記ディスク歯車列はディスク５０を挿入方向に移送するようにローラ２２を回転駆動し、また、上記ピックアップ歯車列はピックアップ４３をディスクラジアル方向の外向きに移動させる。一方、第２モータ５１が逆転時には、上記ディスク歯車列はディスク５０を排出方向に移送するようにローラ２２を回転駆動し、また、上記ピックアップ歯車列はピックアップ４３をディスクラジアル方向の内向きに移動させるように、各歯車列が設定されている。尚、上記ローラ２２の一端側には、ローラギヤが一体的に固定されており、該ローラギヤがディスク歯車列で駆動されることにより、ローラ２２が回転駆動されるようになっている。
【００３５】
上記ディスク装置１は、挿入方向に移送されて来たディスク５０が再生位置（ターンテーブル４１上）に達すると、ディスク排出方向への移動を開始するスライダ６１が、トラバースベース２０の一方の側面（左側面）に設けられている。上記スライダ６１の内側にはラック（不図示）が付設されており、該ラックがディスク歯車列と噛み合って駆動されることにより、スライダ６１が、トラバースベース２０の側面に沿って装置１の前後方向へ移動するようになっている。
また、ディスク５０が再生位置に到達したことを検知し、上記スライダ６１の移動を開始させるトリガレバー５６（図１及び図３参照）が、例えばクランパアーム３１の後部に取り付けられている。
【００３６】
尚、以上のような構成及びそれに基づく作用は、前述の特開２０００−２９８９０３号公報に開示されているものと同様のものであり、本願発明の要旨をなすものではないので、各歯車列および駆動切換機構などの具体的な構造についての詳細な図示および作動の説明は省略する。
【００３７】
次に、上記ディスク装置１のフローティング・ロック機構を説明し、併せて、この機構を利用することによりディスク装着状態における他のディスクの挿入動作を阻止する構成について説明する。
前述のように、本実施の形態に係るディスク装置１では、トラバースベース２０は、フローティング機構７を介して装置フレーム１０に支持されており、ディスク再生時などディスク５０がターンテーブル４１上に装着された状態では、装置フレーム１０に対して一定の範囲内で浮動可能な状態（フローティング状態）で支持されている。
【００３８】
一方、ディスク５０をディスクスロット２１から装置１内に挿入してターンテーブル４１上にセットするローディング動作、又はターンテーブル４１上のディスク５０をディスクスロット２１から装置１の外部に排出させるイジェクト動作が行われる際には、トラバースベース２０は所定位置に保持・ロックされ、また、ディスク５０を移送するための移送手段が移送作動可能な位置に位置させられる。
【００３９】
このため、ディスク装置１には、トラバースベース２０をフローティング機構７によるフローティング範囲における下方位置にロックするフローティング・ロック機構が設けられおり、ディスク５０のローディング動作時およびイジェクト動作時には、このフローティング・ロック機構を働かせてトラバースベース２０をロック位置に保つようにしている。
【００４０】
かかるフローティング・ロック機構は、以下にその概略を説明するが、基本的には従来公知のものである。
図５及び図６は、トラバースベース２０の左側面に設けられたフローティング・ロック機構を示す側面説明図であり、具体的には、ディスク５０の移送によって装置１の前後方向に移動する上記スライダ６１の作動とこれに伴うローラ２２の移動とを示している。図５はフローティング状態におけるスライダ６１及びローラ２２の位置を示し、図６はフローティング・ロック状態におけるスライダ６１及びローラ２２の位置を示している。
【００４１】
これらの図に示すように、上記スライダ６１の前部（図５及び図６における右側部分）には、カム溝６２ｇを有するカム部６２が設けられ、このカム部６２の前側には付勢プレート６３（左側付勢プレート）が配置されている。この左側付勢プレート６３は、トラバースベース２０の右側面に沿って配設された今一つの付勢プレート６５（右側付勢プレート：後述する図７及び図８参照）と協働して、ローラ２２をディスクガイド２３に向かって付勢するものである。
【００４２】
上記左側付勢プレート６３は、その係合ピン６３ｐが上記カム部６２のカム溝６２ｇに係合することにより、スライダ６１のカム部６２と係合しており、枢支軸６３ｓを中心にして回動動作を行なう。この左側付勢プレート６３には、ローラアーム６４の左側枢支軸６３ｓが支持されている。
該ローラアーム６４はローラ２２を保持するもので、左右の付勢プレート６３，６５でこのローラアーム６４に付勢力を加えることにより、ローラ２２がディスクガイド２３に向かって付勢される。尚、上記左右の付勢プレート６３，６５は、図示しないスプリングの付勢力により上方へ回動する方向（つまり、ローラアーム６４を介してローラ２２をディスクガイド２３に向かって付勢する方向）に常時付勢されている。
【００４３】
上記スライダ６１は、装置ベース１０とクランパ板３２との間に位置しており、両者１０，３２の間で前後移動を行う。スライダ６１の上部には、前後一対の突起部６１ａ，６１ｂが設けられており、一方、クランパ板３２のスライダ６１に対応する部分には、下方に窪んだ前後一対の窪み部３２ａ，３２ｂが形成されている。これら窪み部３２ａ，３２ｂ間の間隔と上記スライダ６１の突起部６１ａ，６１ｂ間の間隔とは等しくなるように設定されている。尚、これら突起部６１ａ，６１ｂ及び窪み部３２ａ，３２ｂの前後部分には、両者がスムースに係合するように、所定角度のテーパ部が形成されている。
【００４４】
そして、スライダ６１の前後方向への移動に伴って、図６に示すように、スライダ６１の突起部６１ａ，６１ｂとクランパ板３２の窪み部３２ａ，３２ｂとの前後方向位置が一致し、突起部６１ａ，６１ｂが窪み部３２ａ，３２ｂに乗り上げて係合した際には、スライダ６１が下方へ押し付けられ、これに伴なってトラバースベース２０が、フローティング機構７の付勢力に抗して下方位置にロックされることになる。つまり、フローティング・ロック機構が働き、トラバースベース２０がフローティング範囲における下方位置にロックされることになる。
【００４５】
一方、図７及び図８は、トラバースベース２０の右側面に設けられたフローティング・ロック機構を示している。図７はフローティング状態におけるフローティング・ロック機構を示し、図８はロック状態におけるフローティング・ロック機構を示している。
これらの図に示すように、トラバースベース２０の右側面には、上述の右側付勢プレート６５が取り付けられている。この右側付勢プレート６５は、左側付勢プレート６３の回動動作に伴ってローラアーム６４を介して回動駆動され、枢支軸６５ｓを中心にして回動する。
【００４６】
右側付勢プレート６５の後方には、枢支軸６７ｓで枢支された回動プレート６７が配設されている。該回動プレート６７と右側付勢プレート６５とは連結プレート６６により回動可能に連結されており、これら右側付勢プレート６５と連結プレート６６と回動プレート６７とで、一種のリンク機構が構成されている。
【００４７】
すなわち、図７に示されたフローティング状態から、右側付勢プレート６５が図における時計回り方向へ回動させられると（図８参照）、連結プレート６６が後方へ移動し、これに伴なって回動プレート６７が図における時計回り方向へ回動する。
この結果、回動プレート６７の先端突起部６７ａがクランパ板３２の下面に当接し、連結プレート６６及び右側付勢プレート６５が下方位置にロックされる。つまり、フローティング・ロック状態となる。
【００４８】
以上のように、このフローティング・ロック状態では、トラバースベース２０は、フローティング機構７による付勢力に抗して、その左右両側が上下方向のフローティング範囲における下方位置にロックされており、安定したロック状態が得られる。
また、この状態では、ローラ２２は、フローティング状態における位置から上方へ移動した位置（つまり、ディスク移送作動可能な位置）にあり、上記ローラアーム６４を介してディスクガイド２３に向かって付勢されている。
【００４９】
尚、右側付勢プレート６５の枢支軸６５ｓの後方には、装置ベース１０と一体的に設けられた回動規制部１０ｄが位置している。一方、右側付勢プレート６５の後部には爪部６５ｄが形成されており、右側付勢プレート６５が図における時計回り方向へ回動する際には、この爪部６５ｄが上記回動規制部１０ｄに当接することにより、それ以上の回動動作が規制される。また、右側付勢プレート６５のづにおける反時計回り方向への一定以上の回動動作は、連結プレート６６の上部がクランパ板３２の前端下面に当接することにより規制されるようになっている。
【００５０】
以上のように、カム部６２を有するスライダ６１及び左側付勢プレート６３並びにクランパ板３２の窪み部３２ｂが左側のフローティング・ロック機構の主要部を構成し、右側付勢プレート６５，連結プレート６６及び回動プレート６７並びにクランパ板３２の下面が右側のフローティング・ロック機構の主要部を構成している。そして、これら左右のフローティング・ロック機構と両者を連繋するローラアーム６４とで、本願請求項に記載したフローティング・ロック機構の主要部が構成されている。
【００５１】
以上のように構成されたフローティング・ロック機構の作動の一例について説明する。
この説明においては、図６及び図８に示されるように、上記フローティング・ロック機構が働いてトラバースベース２０がそのフローティング範囲における下方位置（本実施の形態では最下方位置）にロックされた、且つ、ターンテーブル４１上にディスク５０が装着されていない状態を基準状態とする。
【００５２】
この基準状態において、ディスク５０が挿入されて来ると、例えば光学センサで構成された検知センサ（不図示）がこのディスク挿入動作を検知し、この検知信号によって第２モータ５１が正転方向へ回転駆動される。この第２モータ５１の出力はモータ歯車列５２に伝達され、更に、駆動切換機構を介してディスク歯車列（共に不図示）に伝達される。そして、このディスク歯車列によってローラギヤ（不図示）が回転駆動される結果、ローラ２２が正転方向（図５及び６における反時計回り方向／図７及び８における時計回り方向）へ回転駆動される。
【００５３】
この状態では、トラバースベース２０はロック位置にあるので、上述のように、ローラ２２は、フローティング状態における位置から上方へ移動した位置（つまり、ディスク移送作動可能な位置）にあり、上記ローラアーム６４を介してディスクガイド２３に向かって付勢されている。
従って、挿入されたディスク５０はローラ２２でディスクガイド２３側に圧着された状態で、ローラ２２の正転方向への回転により、ターンテーブル４１の上方の再生位置に向かって移送される。
【００５４】
そして、挿入方向に移送されて来たディスク５０が再生位置（ターンテーブル４１上）に達すると、該ディスク５０がトリガレバー５６を後方に向かって押圧することにより該トリガレバー５６が回動する。これにより、スライダ６１のラックがディスク歯車列（共に不図示）と噛み合うこととなり、スライダ６１がディスク排出方向（図５及び６における右方向／図７及び８における左方向）への移動を開始する。
【００５５】
尚、スライダ６１の上部には、クランパアーム３１の下面側に当接してこれを支持し得る凸部６１ｃ（図５及び図６参照）が設けられている。スライダ６１がディスク排出方向への移動を開始することにより、クランパアーム３１のスライダ６１による支持が解除され、スプリング（不図示）の付勢力によりクランパアーム３１が下方に付勢される結果、クランパ３３が再生位置にあるディスク５０をターンテーブル４１に対して圧着するようになっている。
【００５６】
スライダ６１のディスク排出方向へ更に移動すると、左側付勢プレート６３の係合ピン６３ｐがスライダ６１のカム部６２に形成されたカム溝６２ｇに沿って上方へ移動する結果、左側付勢プレート６３が枢支軸６３ｓを中心にして、図５及び図６における時計回り方向に回動する。これにより、ローラアーム６４の左側枢支軸６４ｓが下方に移動すると共に、ローラアーム６４が該左右の枢支軸６４ｓ，６４ｒを中心にして回動し、ローラ２２が下方に移動させられる。
【００５７】
この結果、ローラ２２はディスク５０から離間し、該ディスク５０はターンテーブル４１上に載置され、回転可能な状態で該ターンテーブル４１に支持されることになる。
また、以上のようなスライダ６１及び左側付勢プレート６３の動作に伴って、スライダ６１の突起部６１ａ，６１ｂとクランパ板３２の窪み部３２ａ，３２ｂとの係合状態が解除される。つまり、左側のフローティング・ロック機構が、トラバースベース２０のロック状態を解除することになる。
【００５８】
一方、図７及び図８に示されるように、右側のフローティング・ロック機構では、ローラアーム６４の回動動作に伴って右側付勢プレート６５が図における反時計回り方向へ回動する。連結プレート６６が前方へ移動し、これにより、回動プレート６７が反時計回り方向へ回動される。
その結果、回動プレート６７の先端突起部６７ａとクランパ板３２の下面との当接状態が解除される。つまり、右側のフローティング・ロック機構が、トラバースベース２０のロック状態を解除することになる。
【００５９】
以上のようにして左右のフローティング・ロック機構がトラバースベース２０のロック状態を解除する結果、フローティング機構７の作用により、トラバースベース２０はフローティング状態で装置ベース１０上に支持されることになる。
【００６０】
尚、スライダ６１がディスク排出方向へ移動しディスク５０がターンテーブル４１上に回転可能な状態として載置されるに伴ない、スライダ６１の移動動作によって駆動切換機構（不図示）が切換作動させられ、モータ歯車列５２がピックアップ歯車列（不図示）と噛み合うようになる。その結果、第２モータ５１の出力がピックアップ４３に伝達され、ピックアップ４３が駆動されるようになっている。
【００６１】
以上の説明はディスク５０のローディング動作についてのものであったが、ディスク・イジェクト動作時には、ディスク装置１に設けられたイジェクト・ボタンを操作することにより、各構成要素が上述のローディング動作時と逆の動作を行ない、ターンテーブル４１上のディスク５０をイジェクトして装置１の外部に向かって排出させるようになっている。
【００６２】
ところで、本実施の形態では、上記のフローティング・ロック機構を利用することにより、例えばディスク再生時などターンテーブル４１上にディスク５０がセットされた状態で、他のディスクが更に挿入されることを防止するようにしている。
すなわち、図１及び図２から良く分かるように、ディスク装置１の前面には、上記のような場合に他のディスクが挿入されることを規制するためにストッパレバー７１が配設されている。該ストッパレバー７１は、取付軸７２を介して装置フレーム１０の前面縦壁１２に取り付けられている。
【００６３】
図１１に詳しく示すように、上記ストッパレバー７１は、例えば鋼板をプレス加工して製作されたもので、略平板状のレバー本体７１ａの両端には、取付基部７１ｂとストッパ部７１ｃとが形成されている。そして、上記取付基部７１ｂに設けた取付穴７１ｈに上記取付軸７２を嵌合させることにより、該取付軸７２を中心にして回動自在に支持される。
【００６４】
また、上記取付軸７２には、止め輪７４，７５と共にバネ部材７３（レバー付勢バネ）が取り付けられる。そして、上記前面縦壁１２に形成された穴部１２ｈに軸先端部を嵌合させることにより、取付軸７２が前面縦壁１２に取り付けられる。
このようにして、ストッパレバー７１が、装置フレーム１０の前側縦壁１２に、該縦壁１２に沿って上下方向へ（つまり、ディスクの挿入／排出方向と略直交する方向へ）回動可能に取り付けられる。
【００６５】
上記ストッパレバー７１のストッパ部７１ｃは、レバー本体７１ａよりも若干前側に位置するようにプレス加工されている。一方、取付基部７１ｂには、レバー本体７１ａよりも後側に張り出す張り出し部７１ｄが連設されている。
そして、図９及び図１０に示すように、ストッパレバー７１を上記前側縦壁１２に取り付けた際には、ストッパ部７１ｃが前側縦壁１２よりも若干前側に位置し、上記張り出し部７１ｄが前側縦壁１２よりも後側に張り出すように構成されている。
【００６６】
上記レバー付勢バネ７３は、常時、レバー本体７１ａを上方へ回動する方向に付勢するように設定されており、上記トラバースベース２０のフローティング・ロック機構の作動状態に応じて、上記ストッパレバー７１のストッパ部７１ｃが、ディスクスロット２１の前側に位置する第１位置と、該ディスクスロット２１の前側から退避した第２位置との間で変位するように構成されている。尚、上記ストッパレバー７１及びそのストッパ部７１ｃが、本願請求項に記載した「ディスク挿入規制部材」及びその「ストッパ部」にそれぞれ相当している。
【００６７】
すなわち、図１２から良く分かるように、トラバースベース２０が装置ベース１０に対してフローティング状態で支持されているときには、ストッパレバー７１は、レバー付勢バネ７３の付勢力により、取付基部７１ｂの張り出し部７１ｄの上面が装置ベース１０の前面縦壁１２の下面に当接するまで回動した上限位置に位置している。
【００６８】
この状態では、ストッパレバー７１のストッパ部７１ｃが第１位置（つまり、ディスクスロット２１の前側位置）に位置している。従って、例えばディスク再生時など、ディスク５０がターンテーブル４１上に装着されており、トラバースベース２０が装置ベース１０に対してフローティング状態で支持されているとき（つまり、フローティング・ロック機構の非作動時）には、ディスクスロット２１から他のディスクが更に挿入されることが、上記ストッパ部７１ｃにより確実に阻止される。
【００６９】
また、上記ストッパレバー７１の長さは、その先端のストッパ部７１ｃが、ディスクスロット２１の前側に位置する上記第１位置では、ディスクスロット２１の略中央の前側に位置するように設定されている。
これにより、従来、かかるディスク挿入規制用のストッパ部材をディスク入出開口部の端部近傍に設けた場合のようにディスク装置が前方に張り出して大型化することはなく、比較的省スペースでディスク装着状態における他のディスクの挿入を阻止することができる。
【００７０】
一方、図１３から良く分かるように、ディスク５０のローディング動作時又はイジェクト動作時など、フローティング・ロック機構が作動することにより、トラバースベース２０がその上下方向のフローティング範囲内における下方位置にロックされているときには、トラバースベース２０の下方への移動によってストッパレバー７１の張り出し部７１ｄが押下されることにより、レバー付勢バネ７３の付勢力に抗して、ストッパレバー７１が下方に回動させられる。
その結果、ストッパ部７１ｃは第２位置（ディスクスロット２１の前側から退避した位置）に位置することになる。
【００７１】
すなわち、ストッパレバー７１の張り出し部７１ｄには、上方へ立ち上がる立ち上がり部７１ｆが設けられ、この立ち上がり部７１ｆは、レバー７１の回動中心である取付軸７２の中心に関して、レバー本体７１ａ及びストッパ部７１ｃと同じ側（図における左側）に位置している。
トラバースベース２０がロック位置に下降して来る際には、その下面が上記立ち上がり部７１ｆを押し下げることになる。その結果、ストッパレバー７１は、取付軸７２を中心にして下方に向かって回動し、これに伴なって、ストッパ部７１ｃも同方向に回動し、上記第２位置に位置することになる。つまり、ストッパレバー７１のストッパ部７１ｃはディスクスロット２１の前側から退避している。
【００７２】
従って、フローティング・ロック機構を作動させてディスク５０のローディング動作又はイジェクト動作を行う際には、ディスクスロット２１から支障無くディスク５０を挿入させ、又は排出させることができる。
以上のように、上記ストッパレバー７１を装置フレーム１０に取り付けるだけの比較的簡単な構成で、また低コストで、ターンテーブル４１上にディスク５０が装着された状態で他のディスクが更に挿入され、ディスクが損傷する等の不具合が生じることを有効に防止できるのである。
【００７３】
特に、本実施の形態では、ストッパレバー７１を付勢することによりそのストッパ部７１ｃ上記第１位置側に付勢するレバー付勢バネ７３を設け、上記フローティング・ロック機構がトラバースベース２０を下方位置にロックするロック動作に応じて、上記ストッパ部７１ｃが、上記付勢バネ７３の付勢力に抗して、上記第１位置から第２位置に変位するように構成されている。
【００７４】
すなわち、付勢バネ７３を設けるだけの比較的簡単な構成で、フローティング・ロック機構非作動時には上記ストッパレバー７１のストッパ部７１ｃを上記第１位置に維持することができ、また、フローティング・ロック機構のロック動作を利用して、上記ストッパ部７１ｃを上記第１位置から第２位置に変位させることができる。
【００７５】
しかも、上記ストッパレバー７１の取付軸７２は、装置フレーム１０の前側縦壁１２に設けた穴部１２ｈに嵌合されているだけであるので、取付軸７２をこの穴部１２ｈから抜脱することにより、ストッパレバー７１を装置フレーム１０の前側縦壁１２から、容易に取り外して除去することができる。つまり、ストッパレバー７１は装置フレーム１０対して着脱可能に取り付けられている。
【００７６】
従って、実際、例えば、ディスク装置１が主としてナビゲーション用に使用される場合など、ディスク再生中に他のディスクが更に挿入されることは殆ど想定できず、ストッパレバー７１の必要性がまず無い場合について、不要な過剰装備が取り付けられたままで出荷され、使用に供されることを、容易に回避できる。
【００７７】
尚、前述のように、上記トラバースベース２０の各フローティング機構７は、少なくとも上下方向について、つまりターンテーブル４１と直交する方向（換言すれば、ディスクの挿入／排出方向と略直交する方向）について、トラバースベース２０を装置フレーム１０に対し一定の範囲内でフローティング支持させるものであり、各フローティング機構７のコイルスプリング９は、トラバースベース２０を少なくとも上下方向に付勢するように設定されている。
一方、上記レバー付勢バネ７３は、上下方向へ（つまり、ディスクの挿入／排出方向と略直交する方向へ）回動可能なストッパレバー７１を付勢することによりそのストッパ部７１ｃ上記第１位置（つまり、ディスクスロット２１の前側位置）側に付勢するもので、具体的には、常時、レバー本体７１ａを上方へ回動する方向に付勢するように設定されている。
【００７８】
従って、このレバー付勢バネ７３を好適に設定することにより、フローティング機構７のコイルスプリング９がトラバースベース２０を上方に付勢する付勢作用も併せて行わせることが可能である。
すなわち、トラバースベース２０は、フローティング機構７によるフローティング範囲内における所定位置まで下降すると、ストッパレバー７１の立ち上がり部７１ｆに当接する。そして、更に下降を続けると、レバー付勢バネ７３により上方へ付勢されることになる。
【００７９】
このようにトラバースベース２０がレバー付勢バネ７３の付勢力を受け始める上下位置およびこのレバー付勢バネ７３のバネ特性などを好適に設定することにより、当該レバー付勢バネ７３に、フローティング機構７のコイルスプリング９がトラバースベース２０を上方へ付勢する付勢作用をも併せて行わせることが可能である。
【００８０】
この場合、通常のフローティング支持状態でストッパレバー７１のストッパ部７１ｃが上下に変位することを極力回避するために、トラバースベース２０がレバー付勢バネ７３の付勢力を受け始める上下位置は、フローティング機構７によるフローティング範囲の中心位置よりも、所定量下方に設定されることがより好ましい。また、レバー付勢バネ７３のバネ特性は、少なくともトラバースベース２０に付勢力を及ぼす範囲内における特性が、フローティング機構７のコイルスプリング９の特性と同等に設定されることがより好ましい。
【００８１】
そして、レバー付勢バネ７３のバネ特性およびトラバースベース２０に付勢力を及ぼし始める上下位置などを好適に設定した下では、複数のフローティング７のコイルスプリング９のうちレバー付勢バネ７３の取付部に最も近い箇所に位置すべきスプリング９、つまり、装置フレーム１０の前側左端部近傍に取り付けられるべきコイルスプリング９を無くし、上記レバー付勢バネ７３で兼用することができる。
この場合、ディスク装置１の部品点数を削減して、その構造の簡素化および製造コストの低減に貢献することができる。
【００８２】
尚、上記のディスク装置１において、例えばディスク再生中でストッパレバー７１のストッパ部７１ｃが第１位置（ディスクスロット２１の前側位置）にある状態で、他のディスクがディスクスロット２１の中央に対して偏った位置、特に、ストッパレバー７１の回動支点（取付軸７２）の方向に偏った位置から挿入されて来た場合、その挿入の仕方によっては、挿入ディスクによってストッパレバー７１が押し下げられ、ストッパ部７１ｃが不用意に第２位置（上記ディスクスロット２１の前側を退避した位置）に向って変位してしまうことがあり得る。
【００８３】
周知のように、市販されているディスクには、その直径サイズについて大小２種類（呼称サイズ８ｃｍと１２ｃｍ）のものがあるが、特に、小径（８ｃｍ）のディスクを上記のように偏った方向から挿入した場合には、上記のようなストッパ部７１ｃの変位を招くストッパレバー７１の回動動作が比較的生じ易いことが判った。
かかる問題は、上記ストッパ部７１ｃの形状を工夫することにより、解消することが可能である。
【００８４】
次に、本発明の実施の形態に係るストッパ部の一変形例について説明する。尚、以下の説明において、上記図１〜図１３で示した実施の形態における場合と同様の構成を備え同様の作用をなすものについては同一の符号を付し、それ以上の説明は省略する。
図１４は上記変形例に係るストッパ部を備えたストッパレバーの取付状態を示す分解斜視図である。また、図１５は上記変形例に係るストッパ部の正面説明図である。これらの図に示すように、本変形例に係るストッパ部８１は、取付軸７２に近い側の側縁部に、該ストッパ部８１が第１位置にあるときに挿入されて来たディスク８０の外縁部を係止し得るディスク係止部８２と、上記ディスク８０の外縁部を上記ディスク係止部８２に向かって案内する案内傾斜部８３とが設けられている。
【００８５】
該案内傾斜部８３は、ストッパ部８１の一方の側縁部の上部から下方に向うに連れて他方の側縁部に近付くように、所謂、逆テーパ状に形成されている。この逆テーパ状の案内傾斜部８３の終端部分と、ストッパレバー７１のレバー本体７１ａの上面とで、上記ディスク係止部８２が形成されている。
上記ストッパ部８１が第１位置にある状態で、他のディスク８０（特に、小径のディスク）がディスクスロット２１の中央に対して偏った位置、特に、ストッパレバー７１の回動支点（取付軸７２）の方向に偏った位置から挿入されて来た場合、当該他のディスク８０の外縁部は、上記ストッパ部８１の側縁部に設けられた案内傾斜部８３によりディスク係止部８２に案内され、該ディスク係止部８２で係止され、それ以上の挿入動作が阻止される。
【００８６】
このように、本変形例に係るストッパ部８１を備えることにより、他のディスク８０（特に、小径のディスク）がディスクスロット２１の中央に対して偏った位置から挿入されて来た場合でも、当該他のディスク８０の外縁部をディスク係止部８２で係止し、それ以上の挿入動作を阻止することができ、ストッパ部８１によるディスク８０の誤挿入防止の信頼性をより高めることができる。
尚、上記のような係止部および案内傾斜部をストッパ部８１の両方の側縁部に設けることも可能で、この場合には、上記と反対側に偏った方向から他のディスク８０が挿入されて来た場合についても、ディスク誤挿入防止の信頼性を高めることができる。
【００８７】
次に、本発明の他の実施の形態について説明する。尚、以下の説明において、上記図１〜図１３で示した実施の形態における場合と同様の構成を備え同様の作用をなすものについては同一の符号を付し、それ以上の説明は省略する。
図１６は、本発明の他の実施態様に係るディスク挿入規制部材を備えたディスク装置の前部を模式的に示す部分断面説明図である。この図に示すように、本実施の形態に係るディスク装置９１は、ディスク装着状態における他のディスクの挿入を規制するディスク挿入規制部材として、断面形状が略Ｌ字形をなすストッパアーム９３を備えている。
【００８８】
このストッパアーム９３は、装置フレーム９２への取付基部９３ｂを端部に有するアーム本体９３ａと、該アーム本体９３ａの他端で略直角に折り曲げられて形成されたストッパ部９３ｃとを備えている。上記アーム本体９３ａの途中部には、上方へ突出する突出部９３ｆが形成されている。
また、上記ストッパアーム９３は、薄板状のバネ鋼をプレス加工して得られたもので、それ自体が板バネとして作用する。
【００８９】
このストッパアーム９３を装置フレーム９２に取り付ける際には、アーム本体９３ａの取付基部９３ｂが取付ビス９４を用いて装置フレーム９２の下面側に取り付けられる。従って、ストッパアーム９３が不要な場合には、取付ビス９４を螺脱させることにより、極めて容易に当該ストッパアーム９３を取り外すことができる。
尚、この代わりに、アーム本体９３ａの取付基部９３ｂを装置フレーム９２の下面にスポット溶接等で接合するようにしても良いが、この場合には、取付ビス９４を用いた場合に比して取り外しが困難となる。
【００９０】
トラバースベース２０は、前述の実施形態における場合と同様に、フローティング機構７を介して装置フレーム９２に支持されている。そして、上記のようにして装置フレーム９２に取り付けられたストッパアーム９３は、図１６において実線で示されるように、トラバースベース２０が装置ベース９２に対してフローティング状態で支持されているときには、外力が特に作用することはなく、アーム本体９３ａが装置ベース９２の下面に略接触した状態にある。
【００９１】
この状態では、ストッパアーム９３のストッパ部９３ｃは第１位置（つまり、ディスクスロット２１の前側位置）に位置している。従って、例えばディスク再生時など、ディスク５０がターンテーブル４１上に装着されており、トラバースベース２０が装置ベース９２に対してフローティング状態で支持されているとき（つまり、フローティング・ロック機構の非作動時）には、ディスクスロット２１から他のディスクが更に挿入されることが、上記ストッパ部９３ｃにより確実に阻止される。
【００９２】
また、このとき、上記ストッパアーム９３のストッパ部９３ｃは、より好ましくは、ディスクスロット２１の前側に位置する上記第１位置では、ディスクスロット２１の略中央の前側に位置するように設定されている。従って、前述の実施の形態にける場合と同じく、比較的省スペースでディスク装着状態における他のディスクの挿入を阻止することができる。
【００９３】
一方、図１６において破線で示されるように、ディスクのローディング動作時又はイジェクト動作時など、フローティング・ロック機構が作動することにより、トラバースベース２０がその上下方向のフローティング範囲内における下方位置にロックされているときには、トラバースベース２０の下方への移動によってストッパアーム９３の突出部９３ｆが押下されることにより、板バネとしてのストッパアーム９３自体の付勢力に抗して、取付基部９３ｂを支点にしてストッパ部９３ｃが下方に回動させられる。
【００９４】
つまり、ストッパ部９３ｃは、ディスク入出方向と略直交する方向へ変位することになる。その結果、ストッパ部９３ｃは第２位置（ディスクスロット２１の前側から退避した位置）に位置することになる。
従って、フローティング・ロック機構を作動させてディスクのローディング動作又はイジェクト動作を行う際には、ディスクスロット２１から支障無くディスクを挿入させ、又は排出させることができる。
【００９５】
以上のように、上記ストッパアーム９３を装置フレーム９２に取り付けるだけの比較的簡単な構成で、また低コストで、ターンテーブル４１上にディスク５０が装着された状態で他のディスクが更に挿入され、ディスクが損傷する等の不具合が生じることを有効に防止できるのである。
【００９６】
特に、本実施の形態では、ストッパアーム９３自体が板バネであるので、ストッパ部９３ｃを第１位置側に付勢する付勢バネを別途に設ける必要は無く、構造のより一層の簡素化を図ることができる。
すなわち、付勢バネを別途に設ける必要無しに、フローティング・ロック機構非作動時には上記ストッパアーム９３のストッパ部９３ｃを上記第１位置に維持することができ、また、フローティング・ロック機構のロック動作を利用して、上記ストッパ部９３ｃを上記第１位置から第２位置に変位させることができるのである。
【００９７】
尚、以上の実施態様は、いずれも横置き型のディスク装置についてのものであったが、本発明は、かかる場合に限られるものではなく、所謂、縦置き型のディスク装置に対しても、有効に適用することができる。
このように、本発明は、以上の実施態様に限定されるものではなく、その要旨を逸脱しない範囲において、種々の改良あるいは設計上の変更が可能であることは言うまでもない。
【００９８】
【発明の効果】
本願発明によれば、端部に設けられたストッパ部とトラバースベースに当接する取付基部とを有したディスク挿入規制部材と、前記ディスク挿入規制部材を装置フレームに回動自在に取り付ける取付軸と、ディスク装置の前面に設けられ前記ディスク挿入規制部材を上方へ回動する方向に付勢する付勢バネとを備え、前記ディスク挿入規制部材は、前記取付軸を支点としてディスク入出方向と略直交する方向へ変位可能であり、ディスクのターンテーブル上への装着時に前記付勢バネの付勢力により定まるディスク入出開口部の前側位置である第１位置と、ディスクのローディング動作時およびイジェクト動作時に前記トラバースベースが下方へ移動して前記基部を押下して前記付勢バネの付勢力に抗して前記ディスク挿入規制部材を下方に回動して定まるディスク入出開口部の前側から退避した第２位置との間で変位するので、ディスクのローディング動作又はイジェクト動作を行う際には、ディスク入出開口部から支障無くディスクを挿入／排出可能とする一方、ディスクの前記ターンテーブル上への装着時には、前記ディスク入出開口部から他のディスクが挿入されることを、上記ディスク用入規制部材の変位部により確実に防止することができる。
すなわち、上記ディスク挿入規制部材を装置フレームに取り付けるだけの比較的簡単な構成で、また低コストで、ターンテーブル上にディスクが装着された状態で他のディスクが更に挿入され、ディスクが損傷する等の不具合が生じることを有効に防止できる。
【図面の簡単な説明】
【図１】  本発明の実施の形態に係るディスク装置の組立状態を示す全体斜視図である。
【図２】  上記ディスク装置の分解斜視図である。
【図３】  上記ディスク装置の平面説明図である。
【図４】  上記ディスク装置の底面説明図である。
【図５】  上記ディスク装置のトラバースベース左側面に設けられた左側フローティング・ロック機構のフローティング状態を示す側面説明図である。
【図６】  上記左側フローティング・ロック機構のロック状態を示す側面説明図である。
【図７】  フローティング状態における右側フローティング・ロック機構を示す側面説明図である。
【図８】  ロック状態における右側フローティング・ロック機構を示す側面説明図である。
【図９】  上記ディスク装置の正面説明図である。
【図１０】  図９のＹ１０‐Ｙ１０方向からの矢視図で、上記ディスク装置の部分的な底面説明図である。
【図１１】  ストッパレバーの取付状態を示す分解斜視図である。
【図１２】  フローティング状態におけるストッパレバーの回動位置を示すディスク装置の模式的な部分正面説明図である。
【図１３】  フローティング・ロック状態におけるストッパレバーの回動位置を示すディスク装置の模式的な部分正面説明図である。
【図１４】  変形例に係るストッパ部を備えたストッパレバーの取付状態を示す分解斜視図である。
【図１５】  上記変形例に係るストッパ部の正面説明図である。
【図１６】  本発明の他の実施の形態に係るディスクストッパを備えたディスク装置の前部を模式的に示す部分断面説明図である。
【符号の説明】
１，９１…ディスク装置
７…フローティング機構
９…フローティング機構のコイルスプリング
１０，９２…装置フレーム
１２…装置フレームの前面縦壁
２０…トラバースベース
２１…ディスクスロット（ディスク入出開口部）
２２…ローラ
２３…ディスクガイド
３２…クランパ板
３２ａ，３２ｂ…クランパ板の窪み部
４１…ターンテーブル
５０…ディスク
５１…第２モータ
６１…スライダ
６２…カム部
６３…左側付勢プレート
６４…ローラアーム
６５…右側付勢プレート
６６…連結プレート
６７…回動プレート
７１…ストッパレバー
７１ａ…レバー本体部
７１ｂ…取付基部
７１ｃ，８１…ストッパ部
７２…取付軸
７３…レバー付勢バネ
８０…他のディスク
８２…ストッパ部のディスク係止部
８３…ストッパ部の案内傾斜部
９３…ストッパアーム
９３ａ…アーム本体
９３ｂ…取付基部
９３ｃ…ストッパ部
９４…取付ビス
【図１】
0003995455.tif 000002
【図２】
0003995455.tif 000003
【図３】
0003995455.tif 000004
【図４】
0003995455.tif 000005
【図５】
0003995455.tif 000006
【図６】
0003995455.tif 000007
【図７】
0003995455.tif 000008
【図８】
0003995455.tif 000009
【図９】
0003995455.tif 000010
【図１０】
0003995455.tif 000011
【図１１】
0003995455.tif 000012
【図１２】
0003995455.tif 000013
【図１３】
0003995455.tif 000014
【図１４】
0003995455.tif 000015
【図１５】
0003995455.tif 000016
【図１６】
0003995455.tif 000017